(57)【特許請求の範囲】
【請求項１】
対向する２つの壁面に挟まれた空間を有する第一の部材と、当該空間に一部を挿入して上記第一の部材と係合する第二の部材とから構成される２部品取付構造であって、上記２つの壁面の内の１つの壁面の内側に、上記空間を塞ぐ方向に延出するフックを形成し、上記第二の部材には、上記フックの延出方向に突出しており、挿入時に上記フックに対して撓みながら嵌め込まれる撓み部と、当該撓み部と共に上記第一の部材の空間にはさみ込まれ、上記第一の部材の挿入方向に突出して第一の部材からの外れ防止機能を有する規制部とが設けられていることを特徴とする２部品取付構造。
【請求項２】
前記第一の部材は、前記第二の部材と係合する側に突出する突出フランジを備え、その突出フランジの壁面を、前記２つの壁面の内の前記フックを形成していない側の壁面であって前記規制部と接する壁面としていることを特徴とする請求項１記載の２部品取付構造。
【請求項３】
前記撓み部は、前記第二の部材の端部に形成されていることを特徴とする請求項１又は２記載の２部品取付構造。
【請求項４】
前記第二の部材の端部に形成されている撓み部は、反り返るように形成されていることを特徴とする請求項３記載の２部品取付構造。
【請求項５】
前記第二の部材には、前記２つの壁面の内の前記フックを形成していない側の壁面の端部である当接支持部の面に沿って前記第二の部材が移動するのを規制する規制部材が形成されていることを特徴とする請求項１から４のいずれか１項に記載の２部品取付構造。
【請求項６】
前記フックを、前記当接支持部よりも前記挿入方向と反対方向に設け、
前記フックの前記挿入方向の側の面と前記当接支持部との距離を、前記撓み部の厚さよりもわずかに小さくしていることを特徴とする請求項５記載の２部品取付構造。
【請求項７】
前記第一の部材には挿通孔が形成されていると共に、前記第二の部材には、この挿通孔と連通する連通孔が形成されていることを特徴とする請求項１から６のいずれか１項に記載の２部品取付構造。
【発明の詳細な説明】
【０００１】
【発明の属する技術分野】
本発明は、カーオーディオ等における筐体用構成部品等の２つの部材同士を取り付ける場合の取付構造に関する。
【０００２】
【従来の技術】
例えばカーオーディオの筐体等においては、成形された樹脂製のパネル等の基材に対して別パーツを取り付けることが多い。このように別パーツを取り付ける場合、その取り付け方法は、図６に示すように、基材１に対してパーツ２をネジ３によりネジ止めするものがある。また、別の取り付け方法としては、図７に示すように、基材１のうちパーツ２を取り付ける部分にフック４を形成し、このフック４にヒンジ構造を併せ持つように構成し、このヒンジ構造のフック４に対してパーツ２を係合させることにより、取り付けるようにしたものがある。
【０００３】
【発明が解決しようとする課題】
ところで、上述の図示した取り付け方法では、以下のような問題点がある。すなわち、図６に示した取り付け方法では、ネジ止め作業を必要とするため、そのネジ止めのために手間及びコストが掛かるものとなっている。
【０００４】
また、図７に示すように、フック４にヒンジ構造を併せ持たせるようにした場合には、フック４は根元の支点を中心として回動する。このため、フック４の回動を行えるようにするためのスペースが必要となる。図７中、α部が当該スペース部分となる。しかしながら、最近は複雑化や小型化等によってスペース効率が向上した製品も多く、このような製品に対してはヒンジ構造のためのスペースが取れない場合もある。そのため、かかるスペース効率の良い製品に対しては、ヒンジ構造を備えるフック４は不向きとなっている。また、ヒンジ構造は支点を中心として回動するものであるため、その構造が他の部分よりも弱く、容易に折れてしまう、という欠点を有している。
【０００５】
本発明は、上記の事情に基づきなされたもので、その目的とするところは、取付作業が容易に行えると共に、スペース効率及び強度の面で優れた取付構造を提供しようとするものである。
【０００６】
【課題を解決するための手段】
上述の目的を達成するため、本発明は、対向する２つの壁面に挟まれた空間を有する第一の部材と、当該空間に一部を挿入して上記第一の部材と係合する第二の部材とから構成される２部品取付構造であって、２つの壁面の内の１つの壁面の内側に、上記空間を塞ぐ方向に延出するフックを形成し、第二の部材には、フックの延出方向に突出しており、挿入時にフックに対して撓みながら嵌め込まれる撓み部と、当該撓み部と共に第一の部材の空間にはさみ込まれ、第一の部材の挿入方向に突出して第一の部材からの外れ防止機能を有する規制部とを設けるようにしている。
【０００７】
このため、第二の部材に形成された撓み部を撓ませることにより、容易に第一の部材に形成されたフックに第二の部材を嵌め込むことが可能となる。また、撓み部をフックに嵌め込めば、この撓み部と規制部によってフックから撓み部が外れなくなり、それによってフックにヒンジ構造を設けなくても、第二の部材をフックで支持することが可能となる。また、フックにヒンジ構造を設けなくて済むので、ヒンジ構造を設けることによって生じる強度低下等の不具合を防止することが可能となり、フックの強度向上を図ることが可能となる。さらに、ヒンジ構造を設けなくて済むので、フックが支点を中心として回動するためのスペースが不要となり、製品のスペース効率の向上にも貢献するものとなる。
【０００８】
また、他の発明は、上述の発明において、第一の部材に第二の部材と係合する側に突出する突出フランジを備え、その突出フランジの壁面を、規制部と接し、２つの壁面の内のフックを形成していない側の壁面とする２部品取付構造としている。
【０００９】
このため、第二の部材の撓み部は、第二の部材が当接支持部に突き当たる以前に弾性変形しながらフックに係合する。それによって、第一の部材に形成されたフックと突出フランジにおいて第二の部材を支持することが可能となり、第一の部材から第二の部材が外れるのを防止することができる。また、フックにヒンジ構造を設けなくて済むので、ヒンジ構造を設けることによって生じる強度低下等の不具合を防止することが可能となり、フックの強度向上を図ることが可能となる。さらに、ヒンジ構造を設けなくて済むので、フックが支点を中心として回動するためのスペースが不要となり、製品のスペース効率の向上にも貢献するものとなる。
【００１０】
さらに、他の発明は、上述の各発明に加えて、更に、撓み部は、第二の部材の端部に形成されることとしたものである。このため、フックへ第二の部材を係合させることが容易となり、取付作業を行う第一の部材と第二の部材とを取り付ける場合の作業性が向上するものとなる。それによって、取付の生産性が向上し、コストダウンを図ることも可能となる。
【００１１】
また、他の発明は、上述の発明に加えて更に、撓み部は、反り返るように形成されることとしたものである。このため、第二の部材に形成されたフックにこの撓み部を係合させた場合、フックに対して第二の部材が弾性支持される。それによって、安定的な弾性支持を実現するものとなる。
【００１２】
さらに、他の発明は、上述の各発明に加えて更に、第二の部材には、２つの壁面の内のフックを形成していない側の壁面の端部である当接支持部に沿って第二の部材が移動するのを規制する規制部材が形成されることとしたものである。このため、規制部材によって第一の部材と第二の部材が横方向に相対的にスライドするのを防止でき、撓み部をフックに安定して嵌め込むことができる。これと共に、規制部材により両部材が相対移動するのを防止できるので、撓み部がフックに係合した場合に、係合した状態を安定的に維持することが可能となる。
【００１３】
また、他の発明は、上述の発明に加えて更に、フックを当接支持部よりも挿入方向と反対方向に設け、フックの挿入方向の側の面と当接支持部との距離を、撓み部の厚さよりもわずかに小さくした２部品取付構造としている。このため、撓み部を予め反り返った状態とさせないでも、フックに対して撓み部からの付勢力が働く。
【００１４】
さらに、他の発明は、上述の各発明に加えて更に、第一の部材には挿通孔が形成されていると共に、第二の部材には、この挿通孔と連通する連通孔が形成されることとしたものである。このため、フックに第二の部材を係合させて弾性支持させると、挿通孔と連通孔が連通する状態となる。
【００１５】
【発明の実施の形態】
以下、本発明の一実施の形態について、図１から図５に基づいて説明する。なお、初めに第一の実施の形態を図１および図２に基づいて説明する。
【００１６】
図１に示す本発明の取付構造を適用した筐体１０は、第一の部材としてのカーオーディオの前面パネル１１に、第二の部材としてのＣＤガイド部材１２を取り付ける場合を示すものである。この実施の形態において、前面パネル１１は樹脂のように、所定量だけ撓み変形可能な材質により形成されている。この前面パネル１１には、ＣＤを挿入する部分に挿通孔としてのＣＤ挿入口１３が形成されている。このＣＤ挿入口１３は、ＣＤに対応して長孔形状に形成されている。
【００１７】
また、ＣＤ挿入口１３には、図１及び図２に示すように、前面パネル１１内面側に向かって突出形成された突出フランジ１４が形成されている。この突出フランジ１４は、ＣＤ挿入口１３の長孔形状の周方向全体に渡って形成されていて、ＣＤ挿入口１３の開口側から筐体１０の内部に向かうに従って上下に対向している突出フランジ１４の間隔が狭くなるようにテーパ状に設けられている。それによって、ＣＤを外部から挿入する場合、その挿入動作がし易くなるように設けられている。
【００１８】
なお、突出フランジ１４のうち、対向して設けられている長孔形状の軸線方向に平行に設けられている一対の対向部分では、長手方向の中央部分でその幅が最も大きくなるように形成されている。すなわち、ＣＤは円形状をなしているため、ＣＤがＣＤ挿入口１３に挿入される場合、必ずＣＤ挿入口１３の中央部から挿入される。このため、ＣＤを挿入しやすくするように、ＣＤ挿入口１３の中央部に向かうに従って幅広に形成している。
【００１９】
ここで、突出フランジ１４の内方側に突出形成された突出端部のうち、上方に位置する内方側突出端部（以下、これを当接支持部１４ａとする。）と、下方に位置する内方側突出端部（以下、これを当接支持部１４ｂとする。）とは、これらの先端を結んだ線が前面パネル１１の前面１１ａの平面に対して略平行を為すように設けられている。それによって、ここにＣＤガイド部材１２を取り付けた場合、このＣＤガイド部材１２が前面パネル１１の前面１１ａの平面と平行になるように設けられている。
【００２０】
また、当接支持部１４ａと当接支持部１４ｂの各先端を結んだ直線が前面パネル１１の図２における上壁とぶつかる部分近傍には、フック１５がＣＤ挿入口１３の長手方向に沿って複数箇所、この実施の形態では３箇所に設けられている。このフック１５は、ＣＤガイド部材１２の後述する撓み部１７から付勢力を受けながら、このＣＤガイド部材１２を係合するものである。それによって、ＣＤガイド部材１２が嵌め込まれるように設けられている。なお、フック１５は、ＣＤガイド部材１２を良好に嵌め込むために、幅方向の長さを厚さと同程度の長さとした小さな突起としている。
【００２１】
また、下方に設けられている突出フランジ１４には、フック１５と共にＣＤガイド部材１２を嵌め込むための不図示のピンを突出形成させても構わない。ピンを形成した場合には、ＣＤガイド部材１２にもピンを挿通させるピン孔が形成されることになる。
【００２２】
前面パネル１１ａに取り付けられるＣＤガイド部材１２は、ＣＤ挿入口１３に対応するようにその大きさ及び形状が形成されている。この場合、ＣＤガイド部材１２は、ＣＤ挿入口１３の当接支持部１４ａ，１４ｂに接触する部分が当接部１６となっている。
【００２３】
当接部１６のうち、フック１５側の端部が、フック１５との係合直前に後述する挿入ガイド部１９側に反り返るように設けられた撓み部１７となっている。この撓み部１７は、フック１５に嵌め込むときに弾性変形するように設けられていて、この弾性変形によってＣＤガイド部材１２がフック１５等に係合されるようになっている。
【００２４】
当接部１６には、ＣＤ挿入口１３から連通してＣＤを挿入可能とするために、連通孔１８が形成されている。この連通孔１８の開口形状は、ＣＤ挿入口１３の内方側形状とほぼ同じ大きさに形成されている。
【００２５】
また、連通孔１８から前面パネル１１の後端側に向かい、挿入ガイド部１９が立設されている。この挿入ガイド部１９も、連通孔１８の周方向全体に渡って形成されている。また、挿入ガイド部１９では、連通孔１８の当接部１６側が最も幅狭Ｗ１に形成されていて、この当接部１６側から前面パネル１１の後端側に向かうに従って幅広Ｗ２となるように形成されている。
【００２６】
ここで、ＣＤガイド部材１２の撓み部１７と連通孔１８の間には、前面パネル１１の前面側に突出する規制部２０がＣＤ挿入孔１３の長手方向に沿って１つ又は複数、この実施の形態では１個形成されている。この規制部２０は、突出フランジ１４の側面に当接し、かつスムーズなＣＤの挿入が可能となるように、その先端には先細のテーパー面２０ａが設けられていて、フック１５及び不図示のピンと共に、ＣＤガイド部材１２の安定的な嵌め込み動作をガイドすると共に、一旦嵌め込まれた後にはその嵌め込み状態を安定的に維持するものである。
【００２７】
以上のような構成を有する前面パネル１１とＣＤガイド部材１２からなる筐体１０においては、ＣＤガイド部材１２を嵌め込む場合、ＣＤガイド部材１２を当接支持部１４ａ，１４ｂに向かって進行させ（図２（Ａ））、接触させる（図２（Ｂ））。その後に、フック１５に対して撓み部１７を大きく弾性変形させて嵌め込む。なお、撓み部１７の弾性変形は、撓み部１７を挿入ガイド部１９側に予めわずかに撓ませておく構成としても構わない。
【００２８】
撓み部１７がフック１５に嵌め込まれた場合、図２（Ｃ）に示すように撓み部１７が反り返った状態から変形して平らな状態となる。この場合、撓み部１７はフック１５に対してはまり込んだ状態となる。なお、係合させる途中で、図２（Ｂ）のように撓み部１７が撓むため、この図２（Ｃ）の状態となると、その変形が少し残っていることが多く、そのような場合は、この撓み部１７はフック１５に対して付勢力を与えている状態となる。
【００２９】
これと併せて規制部２０、当接支持部１４ａ，１４ｂに接触している当接部１６、不図示のピンの係合、嵌め合い等によってＣＤガイド部材１２は嵌め込まれた状態を安定的に維持して外れないようになる。
【００３０】
このような構成の前面パネル１１及びＣＤガイド部材１２からなる筐体１０では、撓み部１７は、当接部１６を連通孔１８近傍部分を支点として弾性変形しながらフック１５に嵌め込まれる。この係合と、規制部２０の係合によって、当接部１６が当節支持部１４ａ，１４ｂに突き当たり、フック１５と突出フランジ１４においてＣＤガイド部材１２を支持することが可能となり、この支持によってＣＤガイド部材１２が外れるのを防止することができる。すなわち、フック１５や突出フランジ１４等により、ＣＤガイド部材１２が嵌め込まれた状態を安定的に維持することが可能となる。
【００３１】
また、予め撓み部１７を挿入ガイド部１９側に撓ませている場合、嵌め込まれた状態では、当接支持部１４ａ，１４ｂが当接部１６に当接し、撓み部１７が弾性変形して保持する構成となるため、当接支持部１４ａ，１４ｂを起点として撓み部１７が弾性力を発揮し、このＣＤガイド部材１２に確実に弾性支持させることが可能となる。
【００３２】
また、フック１５にヒンジ構造を設けなくて済むので、ヒンジ構造を設けることによって生じる強度低下等の不具合を防止することが可能となり、フック１５の強度向上を図ることが可能となる。さらに、ヒンジ構造を設けなくて済むので、フック１５が根元を支点として回動するためのスペースが不要となり、製品のスペース効率の向上にも貢献するものとなる。
【００３３】
さらに、撓み部１７は、ＣＤガイド部材１２の端部に形成されている構成のため、挟みやすくなる構造とできフック１５へＣＤガイド部材１２を嵌め込み易くなり、取付作業における作業性が向上するものとなる。それによって、取り付けの生産性が向上し、コストダウンを図ることも可能となる。
【００３４】
さらに、ＣＤガイド部材１２の撓み部１７の背面または前面パネル１１の規制部２０が嵌合する部分の側方に、当接支持部１４ａ，１４ｂに沿ってＣＤガイド部材１２が移動するのを規制する規制部材（図示省略）を形成するようにすると、規制部材によってＣＤガイド部材１２が長手方向に沿ってスライドするのを防止することができる。このため、撓み部１７をフック１５に安定して嵌め込むことができると共に、移動を防止できるので、撓み部１７がフック１５に嵌め込まれた場合に、嵌め込まれた状態を安定的に維持することが可能となる。
【００３５】
次に、本発明の第二の実施の形態について説明する。
【００３６】
第二の実施の形態では、前面パネル１１は第一の実施の形態と同一構造で、ＣＤガイド部材１２のみが変更されている。このため、ＣＤガイド部材１２のみを図３に示す。なお、第一の実施の形態と同一部材、同一部分には同一符号を用いて説明することとし、その説明を省略または簡略化する。
【００３７】
ＣＤガイド部材１２の背面には、図３（Ａ）に示されるように、撓み部１７の剛性力を高めるための複数の三角状のついたて壁３１と、撓み部１７とは反対側の当接部１６の剛性を高めるための複数の四角状のついたて壁３２とが設けられている。なお、ついたて壁３２の高さは挿入ガイド部１９の半分程度となっている。なお、ついたて壁３１は、組み込んだとき各フック１５の近傍でかつＣＤガイド部材１２の長手方向のスライドを防止するような位置関係（図３参照）に配置されるため、スライドを防ぐ規制部材となっている。
【００３８】
一方、ＣＤガイド部材１２の正面すなわち当接部１６側には、１つの規制部２０と、フェルト材（図示省略）を当接部１６の全面に渡って貼りつける際の位置決めとなる複数の円柱状突起３３とが設けられている。また、ＣＤガイド部材１２には、前面パネル１１に設けられた位置決めピン（図示省略）が入り込む２つの貫通孔３４と、前面パネル１１に設けられたねじ孔に係合するねじが貫通する２つのねじ用孔３５とが設けられている。
【００３９】
この第２の実施の形態では、前面パネル１１に設けられるフック１５は３箇所で、図３（Ａ）の矢印Ｈ部分に係合するように構成される。この係合時、撓み部１７が所定の剛性を有しているため、係合時は図２に示すように、前面パネル１１の前面１１ａの平面に対して垂直となる方向から組み込むのではなく、斜め下方から、まず撓み部１７をフック１５の内側に係合させ、その後、ＣＤガイド部材１２を時計方向に回動して嵌め込むようにする。
【００４０】
以上、本発明の各実施の形態について述べたが、本発明はこれ以外にも種々変形可能である。以下、それについて述べる。上述の各実施の形態では、前面パネル１１を第一の部材とし、ＣＤガイド部材１２を第二の部材として説明している。しかしながら、第一の部材は特に限定されるものではなく、また第二の部材も特に限定されるものではなく、種々の部材や装置における取付構造に本発明を適用可能である。
【００４１】
また、上述の各実施の形態では、前面パネル１１にＣＤガイド部材１２を取り付ける場合について、フック１５が一方向にのみ設けられている場合について説明したが、図４に示すように前面パネル１１等の基材にフック１５を対向するように配置し、この対向位置されたフック１５でＣＤガイド部材１２等の第二の部材を挟み込む場合に本発明を適用しても構わない。
【００４２】
この図４の構成でも、ＣＤガイド部材１２等の第二の部材が第一の部材の前面パネル１１に係合させる際には、第二の部材の端部が反り返る撓み部１７となっており、嵌め込むことにより外れが防止される。なお、撓み部１７の反り返りによりフック１５に付勢力を生じさせ得た場合には、良好な弾性支持状態を実現することも可能となる。このように構成した場合、フック１５に嵌め込むだけのため、簡単な作業で容易に弾性支持を実現することが可能となる。なお、撓み部１７を予め反り返った状態としても良い。この場合、係合した時点での弾性支持力は大きくなり、支持力は安定する。
【００４３】
また、図５に示すように、フック１５と当接支持部１４ａ，１４ｂとの距離Ｍ１を撓み部１７の厚さＭ２よりわずかに小さくしておくと、撓み部１７を予め反り返った状態とさせないでも、フック１５に対して撓み部１７からの付勢力が働くこととなる。このような構造とするか、規制部２０を図２や図５の状態からわずかに下方に設置することで、この規制部２０と突出フランジ１４との間に強い付勢力が働きＣＤガイド部材１２を強く狭持することが可能となる。
【００４４】
また、上述の各実施の形態では、前面パネル１１とＣＤガイド部材１２が共に弾性力を有する樹脂部材とされているが、両部材１１，１２のいずれか一方を金属材とし、他方を弾性を有する樹脂材として構成しても良い。なお、ＣＤガイド部材１２が金属材となった場合は、撓み部１７はたわまずに突出フランジ１４やフック１５が撓むこととなる。
【００４５】
【発明の効果】
本発明によれば、第二の部材に形成された撓み部を撓ませることにより、容易に第一の部材に形成されたフックに第二の部材を係合させることが可能となる。また、規制部と撓み部が第一の部材によって挟み込まれるので、両部材の係合が外れることはない。さらに、撓み部をフックに係合させ、規制部を突出フランジに係合すれば、両部材が外れなくなり、それによってフックにヒンジ構造を設けなくても、第二の部材をフックで支持することが可能となる。
【００４６】
また、フックにヒンジ構造を設けなくて済むので、ヒンジ構造を設けることによって生じる強度低下等の不具合を防止することが可能となり、フックの強度向上を図ることが可能となる。さらに、ヒンジ構造を設けなくて済むので、フックが支点を中心として回動するためのスペースが不要となり、製品のスペース効率の向上にも貢献するものとなる。
【図面の簡単な説明】
【図１】本発明の第一の実施の形態に係わる筐体の構成を示す断面斜視図である。
【図２】第一の実施の形態に係わる前面パネルにＣＤガイド部材を取り付ける様子を示す側断面図で、（Ａ）は係合開始のときの様子を示す図で、（Ｂ）はＣＤガイド部材の撓み部が両面パネルのフックに突き当たり、撓んでいる様子を示す図で、（Ｃ）は両部材が完全に係合した様子を示す図である。
【図３】本発明の第二の実施の形態を示す図で、（Ａ）はＣＤガイド部材の背面図で、（Ｂ）は（Ａ）の矢示Ｂ方向から見た部分斜視図である。
【図４】本発明の第三の実施の形態を示す図で、（Ａ）は係合直前を示す図で、（Ｂ）は係合が完了した状態を示す図である。
【図５】本発明の変形例に係わる図であり、フックと当接支持部との距離Ｍ１と撓み部の厚さＭ２との関係を示す図である。
【図６】従来の筐体における基材にパーツをネジで取り付ける状態を示す図である。
【図７】従来の筐体における基材に形成されたヒンジ構造のフックにパーツを取り付ける状態を示す図である。
【符号の説明】
１０…筐体
１１…前面パネル（第一の部材）
１２…ＣＤガイド部材（第二の部材）
１４…突出フランジ
１４ａ，１４ｂ…当接支持部
１５…フック
１６…当接部
１７…撓み部
２０…規制部
３１…規制部材
【図１】
0003765711.tif 000002
【図２】
0003765711.tif 000003
【図３】
0003765711.tif 000004
【図４】
0003765711.tif 000005
【図５】
0003765711.tif 000006
【図６】
0003765711.tif 000007
【図７】
0003765711.tif 000008